(57)【要約】【課題】「当たり」の文字などの情報を表示できながら、調理人が寿司皿に寿司を載せる作業に余計な手間がかかることを防止できる、寿司皿用情報表示具および寿司皿キットを提供する。【解決手段】情報表示具３が寿司皿２に取り付けられた状態で、間隔調整部３５が寿司皿２の傾斜部分２７の上面２８に当接することにより、ベース部３１の矩形部３６と寿司皿２の傾斜部分２７との間隔が調整され、矩形部３６は、傾斜部分２７と離間し、水平方向に延びている。そのため、支柱３３は、寿司皿２が載置される水平面に対して垂直をなす鉛直方向に延びている。【選択図】図４
2014104270.tif 000002
【特許請求の範囲】
【請求項１】
回転寿司店で使用される寿司皿に取り付けられる寿司皿用情報表示具であって、
前記寿司皿の周縁部の上面に対向するベース部と、
前記ベース部から延設され、前記寿司皿の周縁から前記周縁部の下面に回り込み、前記ベース部との間に前記寿司皿の前記周縁部を把持する把持部と、
前記ベース部と前記把持部との間に前記寿司皿の前記周縁部が把持された状態で、前記ベース部から上方に延びる支柱と、
前記支柱の先端部に設けられ、所定の情報が表示される表示部と、
前記ベース部における前記寿司皿の前記周縁部に対向する面に突設され、前記ベース部と前記把持部との間に前記寿司皿の前記周縁部が把持された状態で、前記寿司皿が載置される面に対して前記支柱が垂直に延びるように、前記ベース部と前記寿司皿の前記周縁部との間の間隔を調整する間隔調整部とを備える、寿司皿用情報表示具。
【請求項２】
前記把持部における前記寿司皿の前記周縁部の前記下面に対向する面に突設され、当該周縁部からの前記把持部の脱落を防止する脱落防止部をさらに備える、請求項１に記載の寿司皿用情報表示具。
【請求項３】
回転寿司店で使用される寿司皿および前記寿司皿に取り付けられる情報表示具を含む寿司皿キットであって、
前記寿司皿の周縁部の上面は、当該上面の中央側に下り傾斜した傾斜部分を有し、
前記情報表示具は、
前記寿司皿の前記周縁部の前記上面に対向するベース部と、
前記ベース部から延設され、前記寿司皿の周縁から前記周縁部の下面に回り込み、前記ベース部との間に前記寿司皿の前記周縁部を把持する把持部と、
前記ベース部と前記把持部との間に前記寿司皿の前記周縁部が把持された状態で、前記ベース部から上方に延びる支柱と、
前記支柱の先端部に設けられ、所定の情報が表示される表示部と、
前記ベース部における前記寿司皿の前記周縁部に対向する面に突設され、前記ベース部と前記把持部との間に前記寿司皿の前記周縁部が把持された状態で、前記傾斜部分に当接し、前記寿司皿が載置される面に対して前記支柱が垂直に延びるように、前記ベース部と前記寿司皿の前記周縁部との間の間隔を調整する間隔調整部とを備える、寿司皿キット。
【請求項４】
前記寿司皿の前記周縁部の下面には、凹部が形成されており、
前記情報表示具は、前記把持部における前記寿司皿の前記周縁部の前記下面に対向する面に突設され、前記凹部に嵌り込んで、当該周縁部からの前記把持部の脱落を防止する脱落防止部をさらに備える、請求項３に記載の寿司皿キット。
【請求項５】
前記寿司皿の前記周縁部の下面には、突部が突設されており、
前記情報表示具は、前記把持部における前記寿司皿の前記周縁部の前記下面に対向する面に突設され、前記突部に係止して、当該周縁部からの前記把持部の脱落を防止する脱落防止部をさらに備える、請求項３に記載の寿司皿キット。
【発明の詳細な説明】
【技術分野】
【０００１】
本発明は、回転寿司店で使用される寿司皿用の情報表示具およびこれを備える寿司皿キットに関する。
【背景技術】
【０００２】
回転寿司店では、循環型のコンベアが設けられており、そのコンベアの外側に、カウンタやテーブルが設置されている。コンベアは、調理人がいる厨房を経由している。調理人は、寿司を寿司皿に載せ、その寿司皿をコンベアに載せる。寿司が載せられた寿司皿は、コンベアの走行により、カウンタおよびテーブルの前を経由して搬送される。カウンタおよびテーブルに着席している客は、好みの寿司が載っている寿司皿を選び、その寿司皿をコンベア上から取り出して、寿司皿上の寿司を食べる。
【０００３】
このように、回転寿司店では、客が好みの寿司を自由に取って食べることができる。また、回転寿司店では、一般的な寿司店と比較して、商品単価が安い。そのため、回転寿司店は、一人でもファミリーでも気軽に利用できる飲食店として人気を集めている。
【０００４】
集客力の向上を図るために、回転寿司店でのくじが提案されている。たとえば、コンベアに載せられる寿司皿に、上面の中央部に「当たり」の文字が表示された寿司皿である当たり皿が混ぜられて、その当たり皿の寿司を食べた客が何らかの特定を受けるといったくじが提案されている。このようなくじが採用された回転寿司店では、客が寿司を食べながらくじを楽しむことができるので、集客力の向上を期待することができる。
【先行技術文献】
【特許文献】
【０００５】
【特許文献１】特開２００８−４８７６９号公報
【発明の概要】
【発明が解決しようとする課題】
【０００６】
ところが、当たり皿がコンベアに載っているときに、客が「当たり」の文字を視認できてはならず、当たり皿がコンベアから取り出された後に、客が「当たり」の文字を初めて視認できなければならない。そのためには、寿司を「当たり」の文字が完全に隠れるように当たり皿に載せなければならず、調理人が寿司を当たり皿に載せる作業に手間がかかる。
【０００７】
本発明の目的は、「当たり」の文字などの情報を表示できながら、調理人が寿司皿に寿司を載せる作業に余計な手間がかかることを防止できる、寿司皿用情報表示具および寿司皿キットを提供することである。
【課題を解決するための手段】
【０００８】
前記の目的を達成するため、本発明の一の局面に係る寿司皿用情報表示具は、回転寿司店で使用される寿司皿に取り付けられる寿司皿用情報表示具であって、前記寿司皿の周縁部の上面に対向するベース部と、前記ベース部から延設され、前記寿司皿の周縁から前記周縁部の下面に回り込み、前記ベース部との間に前記寿司皿の前記周縁部を把持する把持部と、前記ベース部と前記把持部との間に前記寿司皿の前記周縁部が把持された状態で、前記ベース部から上方に延びる支柱と、前記支柱の先端部に設けられ、所定の情報が表示される表示部と、前記ベース部における前記寿司皿の前記周縁部に対向する面に突設され、前記ベース部と前記把持部との間に前記寿司皿の前記周縁部が把持された状態で、前記寿司皿が載置される面に対して前記支柱が垂直に延びるように、前記ベース部と前記寿司皿の前記周縁部との間の間隔を調整する間隔調整部とを備える。
【０００９】
この構成によれば、寿司皿用情報表示具は、ベース部と把持部との間に寿司皿の周縁部が把持されることにより、寿司皿に取り外し可能に取り付けられる。この状態で、ベース部に突設された間隔調整部が寿司皿の周縁部の上面に当接し、ベース部と寿司皿の周縁部との間隔が調整される。これにより、寿司皿の周縁部の上面がその中央側に下り傾斜した傾斜部分を有していても、支柱は、寿司皿が載置される面に対して垂直に延びる。
【００１０】
寿司皿用情報表示具が寿司皿の周縁部に取り付けられ、その状態で支柱が寿司皿が載置される面に対して垂直に延びるので、調理人が寿司皿に寿司を載せる際に、寿司皿情報表示具がその作業の妨げにならない。そのため、調理人が寿司皿に寿司を載せる作業に余計な手間がかかることを防止できる。
【００１１】
よって、表示部に「当たり」の文字などの情報を表示できながら、調理人が寿司皿に寿司を載せる作業に余計な手間がかかることを防止できる。
【００１２】
寿司皿用情報表示具は、把持部における寿司皿の周縁部の下面に対向する面に突設され、その周縁部からの把持部の脱落を防止する脱落防止部をさらに備えていてもよい。
【００１３】
これにより、寿司皿から寿司皿用情報表示具が脱落することを防止できる。
【００１４】
また、本発明の他の局面に係る寿司皿キットは、回転寿司店で使用される寿司皿および前記寿司皿に取り付けられる情報表示具を含む寿司皿キットであって、前記寿司皿の周縁部の上面は、当該上面の中央側に下り傾斜した傾斜部分を有し、前記情報表示具は、前記寿司皿の前記周縁部の前記上面に対向するベース部と、前記ベース部から延設され、前記寿司皿の周縁から前記周縁部の下面に回り込み、前記ベース部との間に前記寿司皿の前記周縁部を把持する把持部と、前記ベース部と前記把持部との間に前記寿司皿の前記周縁部が把持された状態で、前記ベース部から上方に延びる支柱と、前記支柱の先端部に設けられ、所定の情報が表示される表示部と、前記ベース部における前記寿司皿の前記周縁部に対向する面に突設され、前記ベース部と前記把持部との間に前記寿司皿の前記周縁部が把持された状態で、前記傾斜部分に当接し、前記寿司皿が載置される面に対して前記支柱が垂直に延びるように、前記ベース部と前記寿司皿の前記周縁部との間の間隔を調整する間隔調整部とを備える。
【００１５】
この構成によれば、情報表示具は、ベース部と把持部との間に寿司皿の周縁部が把持されることにより、寿司皿に取り外し可能に取り付けられる。この状態で、ベース部に突設された間隔調整部が寿司皿の周縁部の上面の傾斜部分に当接し、ベース部と寿司皿の周縁部との間隔が調整される。これにより、寿司皿の周縁部の上面がその中央側に下り傾斜した傾斜部分を有していても、支柱は、寿司皿が載置される面に対して垂直に延びる。
【００１６】
情報表示具が寿司皿の周縁部に取り付けられ、その状態で支柱が寿司皿が載置される面に対して垂直に延びるので、調理人が寿司皿に寿司を載せる際に、情報表示具がその作業の妨げにならない。そのため、調理人が寿司皿に寿司を載せる作業に余計な手間がかかることを防止できる。
【００１７】
よって、表示部に「当たり」の文字などの情報を表示できながら、調理人が寿司皿に寿司を載せる作業に余計な手間がかかることを防止できる。
【００１８】
寿司皿の周縁部の下面には、凹部が形成されており、情報表示具は、把持部における寿司皿の周縁部の下面に対向する面に突設され、凹部に嵌り込んで、その周縁部からの把持部の脱落を防止する脱落防止部をさらに備えていてもよい。
【００１９】
また、寿司皿の周縁部の下面には、突部が突設されており、情報表示具は、把持部における寿司皿の周縁部の下面に対向する面に突設され、突部に係止して、その周縁部からの把持部の脱落を防止する脱落防止部をさらに備えていてもよい。
【００２０】
これらの構成によれば、寿司皿から情報表示具が脱落することを防止できる。
【発明の効果】
【００２１】
本発明によれば、表示部に「当たり」の文字などの情報を表示できながら、調理人が寿司皿に寿司を載せる作業に余計な手間がかかることを防止できる。
【図面の簡単な説明】
【００２２】
【図１】図１は、本発明の一実施形態に係る寿司皿キットの使用状態を示す斜視図である。
【図２】図２は、情報表示具が取り付けられた寿司皿の正面図である。
【図３】図３は、情報表示具が取り付けられた寿司皿の断面図であり、表示部の主面を視認可能な方向から見た図である。
【図４】図４は、情報表示具が取り付けられた寿司皿の断面図であり、表示部の側面を視認可能な方向から見た図である。
【図５】図５は、寿司皿および情報表示具の他の構成を示す断面図である。
【図６】図６は、寿司皿および情報表示具のさらに他の構成を示す断面図である。
【発明を実施するための形態】
【００２３】
以下では、本発明の実施の形態について、添付図面を参照しつつ詳細に説明する。
【００２４】
図１は、本発明の一実施形態に係る寿司皿キットの使用状態を示す斜視図である。
【００２５】
寿司皿キット１は、回転寿司店で使用される寿司皿２と、寿司皿２に取り付けられる情報表示具３とを含む。
【００２６】
寿司皿２には、たとえば、にぎり寿司、巻き寿司、軍艦巻などの寿司４が載せられる。寿司４が載せられた寿司皿２は、回転寿司店に設置されたコンベア（図示せず）上に載せられて、コンベアの走行により、客が着席するカウンタおよびテーブルの前を経由して搬送される。
【００２７】
情報表示具３は、寿司皿２の周縁部に取り付けられる。
【００２８】
図２は、情報表示具が取り付けられた寿司皿の正面図である。図３および図４は、情報表示具が取り付けられた寿司皿の断面図である。図３および図４では、寿司皿２のみが断面で示されている。
【００２９】
以下、情報表示具３が寿司皿２に取り付けられ、寿司皿２が水平面に載置された状態に基づいて、寿司皿２および情報表示具３の構成を説明する。
【００３０】
寿司皿２は、メラミン樹脂、ポリプロピレン（ＰＰ）、ポリエチレンまたはＡＢＳ樹脂などのプラスチック材料を用いて形成されている。寿司皿２は、皿本体２１および高台２２を一体的に備えている。
【００３１】
皿本体２１は、平面視円形状をなしている。皿本体２１の中央部２３は、その中心が最下方に位置するように、緩やかに湾曲している。中央部２３の上面２４には、寿司４（図１参照）が載せられる。皿本体２１の周縁部２５は、水平に延びる円環状の水平部分２６と、水平部分２６の内側で中央側に下り傾斜した傾斜部分２７とを有している。傾斜部分２７の上面２８は、中央側に下り傾斜し、中央部２３の上面２４に屈曲なく連続している。
【００３２】
高台２２は、皿本体２１の中央部２３の下面２９に接続されている。高台２２は、扁平な円筒状をなしており、皿本体２１を下方から支持している。
【００３３】
情報表示具３は、ポリプロピレン（ＰＰ）、ポリエチレンまたはＡＢＳ樹脂などのプラスチック材料を用いて、一体成形されている。情報表示具３は、ベース部３１、把持部３２、支柱３３、表示部３４および間隔調整部３５を備えている。
【００３４】
ベース部３１は、図１に示されるように、矩形部３６および２つの突出部３７を有している。矩形部３６は、平面視矩形状をなしている。突出部３７は、矩形部３６の長手方向の両端部から長手方向と直交する方向の一方側に短く突出する矩形状をなしている。矩形部３６の長手方向と直交する方向において、ベース部３１の幅は、寿司皿２（皿本体２１）の周縁部２５の幅とほぼ同じである。
【００３５】
把持部３２は、図４に示されるように、側端部３８、連結部３９および対向部４０を有している。側端部３８は、ベース部３１の各突出部３７に接続され、各突出部３７に対して９０°屈曲して下方に延びている。連結部３９は、２つの側端部３８間に架設されている。連結部３９の下端縁は、各側端部３８の下端縁と同一直線上を水平に延びている。対向部４０は、側端部３８および連結部３９の各下端部からベース部３１と対向する側に延びる矩形板状をなしている。対向部４０の長手方向と直交する方向において、対向部４０の幅は、寿司皿２の水平部分２６の幅とほぼ同じである。
【００３６】
支柱３３は、図１に示されるように、ベース部３１の矩形部３６の中央から矩形部３６と直交して上方に延びる細長い円柱状をなしている。
【００３７】
表示部３４は、支柱３３に支持されている。表示部３４は、第１片４１、第２片４２および連結部４３を有している。支柱３３の上端部は、第１片４１に接続されている。第１片４１および第２片４２は、ほぼ同形状の板状をなし、同じ厚さを有している。連結部４３は、第１片４１と第２片４２とを連結している。連結部４３は、一直線に延びる折り曲げ線で屈伸可能に形成されている。これにより、第２片４２は、第１片４１の内面４４に重なる閉状態と、第１片４１に対して展開し、その内面４５および第１片４１の内面４４が露出する開状態とに変位可能に設けられている。
【００３８】
第１片４１の内面４４および／または外面４６には、文字などの情報が表示される。また、第２片４２の内面４５および／または外面４７には、文字などの情報が表示される。たとえば、情報表示具３が回転寿司店でのくじに使用される場合、図３に示されるように、第１片４１の内面４４に「アタリ」の文字が表示され、図２に示されるように、第１片４１の外面４７に「アタリくじ」の文字が表示される。
【００３９】
間隔調整部３５は、略半球状の突起からなり、ベース部３１の矩形部３６の下面４８の中央に突設されている。
【００４０】
情報表示具３が寿司皿２に取り付けられるときには、図４に示されるように、情報表示具３のベース部３１と把持部３２の対向部４０との間に、寿司皿２の周縁部２５が把持部３２の側端部３８および連結部３９に当接するまで差し込まれる。この差し込みが完了した状態では、把持部３２の対向部４０が寿司皿２の水平部分２６の下面４９に接触している。また、ベース部３１が寿司皿２の周縁部２５に上方から対向し、ベース部３１の各突出部３７が寿司皿２の水平部分２６に接触して、間隔調整部３５が寿司皿２の傾斜部分２７の上面２８に当接している。これにより、寿司皿２の水平部分２６がベース部３１の各突出部３７と把持部３２の対向部４０との間に把持（挟持）され、情報表示具３が寿司皿２に取り付けられた状態が保持される。
【００４１】
情報表示具３が寿司皿２に取り付けられた状態で、間隔調整部３５が寿司皿２の傾斜部分２７の上面２８に当接することにより、ベース部３１の矩形部３６と寿司皿２の傾斜部分２７との間隔が調整され、矩形部３６は、傾斜部分２７と離間し、水平方向に延びている。そのため、支柱３３は、寿司皿２が載置される水平面に対して垂直をなす鉛直方向に延びている。
【００４２】
このように、情報表示具３が寿司皿２の周縁部２５に取り付けられた状態で、支柱３３が寿司皿２が載置される面に対して垂直に延びるので、調理人が寿司皿２に寿司４を載せる際に、情報表示具３がその作業の妨げにならない。そのため、調理人が寿司皿２に寿司を載せる作業に余計な手間がかかることを防止できる。
【００４３】
よって、表示部３４に「当たり」の文字などの情報を表示できながら、調理人が寿司皿２に寿司を載せる作業に余計な手間がかかることを防止できる。
【００４４】
図５は、寿司皿および情報表示具の他の構成を示す断面図である。
【００４５】
なお、図５において、図４に示される各部に相当する部分には、それらの各部と同一の参照符号が付されている。また、以下では、その同一の参照符号が付された部分の説明を省略する。
【００４６】
図５に示される構成では、寿司皿２の周縁部２５の下面、具体的には、傾斜部分２７の下面５０に、凹部５１が形成されている。一方、図４に示される構成と比較して、情報表示具３の把持部３２の対向部４０が延長されている。そして、その延長された部分の傾斜部分２７と対向する面に、凹部５１に嵌り込む略半球状の突起からなる脱落防止部５２が突設されている。
【００４７】
情報表示具３が寿司皿２の周縁部２５に取り付けられた状態で、脱落防止部５２が凹部５１に嵌り込む。これにより、寿司皿２から情報表示具３が外れるには、凹部５１から脱落防止部５２が離脱するように、把持部３２が弾性変形しなければならない。そのため、寿司皿２から情報表示具３が容易に脱落することを防止できる。
【００４８】
なお、凹部５１は、脱落防止部５２が嵌り込むことのできる穴であってもよいし、寿司皿２の周方向に延びる溝であってもよい。凹部５１が溝として寿司皿２の周方向の全周にわたって形成される場合、情報表示具３を寿司皿２の周縁部２５の周方向のどの位置にも取り付けることができる。その結果、情報表示具３を寿司皿２に取り付ける際の手間が軽減される。
【００４９】
図６は、寿司皿および情報表示具のさらに他の構成を示す断面図である。
【００５０】
図６に示される構成では、寿司皿２の周縁部２５の下面、具体的には、傾斜部分２７の下面５０に、突部６１が形成されている。一方、図４に示される構成と比較して、情報表示具３の把持部３２の対向部４０が延長されている。そして、その延長された部分の傾斜部分２７と対向する面に、略半球状の突起からなる脱落防止部６２が突設されている。
【００５１】
情報表示具３が寿司皿２の周縁部２５に取り付けられた状態で、脱落防止部６２が突部６１に対して寿司皿２の中央側から係止する。これにより、寿司皿２から情報表示具３が外れるには、脱落防止部６２が突部６１を乗り越えるように、把持部３２が弾性変形しなければならない。そのため、寿司皿２から情報表示具３が容易に脱落することを防止できる。
【００５２】
なお、突部６１は、周縁部２５の一部に突起状に形成されていてもよいし、寿司皿２の周方向に延びる突条に形成されていてもよい。突部６１が突条として寿司皿２の周方向の全周にわたって形成される場合、情報表示具３を寿司皿２の周縁部２５の周方向のどの位置にも取り付けることができる。その結果、情報表示具３を寿司皿２に取り付ける際の手間が軽減される。
【００５３】
以上、本発明のいくつかの実施形態について説明したが、本発明は、さらに他の形態で実施することもできる。
【００５４】
たとえば、前述の実施形態では、情報表示具３が一体成形により、ベース部３１、把持部３２、支柱３３、表示部３４および間隔調整部３５が一体的に形成されている構成を取り上げた。しかしながら、間隔調整部３５は、ベース部３１と別体に形成されてもよい。間隔調整部３５は、たとえば、シリコンを用いて、断面略半球状の突起または突条として形成されてもよい。この場合、間隔調整部３５は、粘着剤により、ベース部３１の矩形部３６の下面４８の中央に貼着される。
【００５５】
その他、前述の構成には、特許請求の範囲に記載された事項の範囲で種々の設計変更を施すことが可能である。
【符号の説明】
【００５６】
１    寿司皿キット
２    寿司皿
３    情報表示具
４    寿司
２５  周縁部
２６  水平部分
２７  傾斜部分
２８  上面（寿司皿の周縁部の上面の傾斜部分）
３１  ベース部
３２  把持部
３３  支柱
３４  表示部
３５  間隔調整部
４８  下面
５０  下面
５１  凹部
５２  脱落防止部
６１  突部
６２  脱落防止部
【図１】
2014104270.tif 000003
【図２】
2014104270.tif 000004
【図３】
2014104270.tif 000005
【図４】
2014104270.tif 000006
【図５】
2014104270.tif 000007
【図６】
2014104270.tif 000008